(57)【要約】【課題】喫煙が制限されている場所や火災が発生すると極めて危険な場所、たとえば空港や精神科病棟などにおいて使用される煙草の点火器であって、ライターとボックスを紐状態で接続し、また、ライターの連続使用を規制するなど火災防止手段を備えると共に、使用者にとって使い勝手の良いシガーライターを提供する。【解決手段】シガーライターユニットを備えたケーシング内に制御装置を取り付け、ライターの加熱、冷却時間をコントロールして異常加熱を防止すると共に、ライターの自由な抜き取りを規制するロック機構を設ける。また、温度センサーを取り付けて、庫内の温度が一定以上に上昇すると冷却ファンを作動させてケーシング内を冷却させるのである。一方で、操作ランプの色やメロディ音でライターの加熱状況を使用者に知らせ、スタンド上にシガーライターボックスを載置して使い勝手を向上させているのである。【選択図】図４
0003153212.tif 000002
【実用新案登録請求の範囲】
【請求項１】
ライター本体と箱体とを紐状体で接続し、底面に灰受け皿を有するシガーライターボックスであって、
箱体表面に電源表示ランプとＬＥＤを内装した操作ボタンとスピーカ孔を備え、
箱体内には、ライター本体とソケットから成る、一又は複数のシガーライターユニットと、ライター本体の着脱を制御するロック装置と、リレーと、音発生装置と制御装置を有し、
上記制御装置によって、ライター本体の加熱及び冷却、ロック装置、音発生装置及び操作ボタンの点灯を制御することを特徴とするシガーライターボックス。
【請求項２】
温度センサーと冷却ファンを取り付け、温度センサーからの信号によって冷却ファンの作動を制御する制御回路を有する請求項１記載のシガーライターボックス。
【請求項３】
シガーライターボックスの箱体内にパイプ支持管を設けてパイプスタンドの上端を接続するとともに、電源コードをパイプスタンド内に挿通させたことを特徴とする請求項１又は２記載のシガーライターボックス。
【考案の詳細な説明】
【技術分野】
【０００１】
本考案は喫煙が制限されている場所、たとえば空港や病院内の喫煙コーナーなどに設置される喫煙専用のシガーライターに関するものである。
【背景技術】
【０００２】
煙草は喫煙時にライターやマッチにより点火されるが、これらの点火器は不適正な使用により危険用具となる恐れがある。たとえば、航空機へのライターの持ち込みは禁止されており、所持品チェック後は待合室で自由に喫煙することはできなかった。
【０００３】
また、病院は禁煙となっているところが多いが、精神科の病棟などでは患者の精神を安定させ、リラックスさせるために逆に喫煙が許されている場合がある。しかしながら、ライターなどの所持を無制限に認めてしまうと、これを自傷行為に使用したり、また不適切な使用により火災を引き起こす恐れがある。特に精神科病棟は閉鎖されているのが通常でありいったん火災が生じると極めて危険な状態となる。
そこで、このような場所では、喫煙を認める一方で万全な火災予防対策を講じる必要がある。
【先行技術文献】
【特許文献】
【０００４】
【特許文献１】特開２００７−２４４３７号公報
【特許文献２】実用新案登録第３１１３０９９号公報
【考案の概要】
【考案が解決しようとする課題】
【０００５】
文献１に記載されたシガーライター付きスタンドに関する発明は、ヒータープラグとソケットから成るシガーライターユニットと吸い殻入れを備えたスタンドであって、持ち去り防止のためにヒータープラグがスタンドに紐状体で接続されているものである。
【０００６】
この発明ではヒータープラグを持ち去って、危険な行為に及ぶことは防止できる。しかしながら、シガーライターの連続使用によってヒータープラグが異常に加熱するおそれがあるにも関わらず火災予防の対策は何らなされていない。また、この発明のシガーライターは通常の自動車において使用されているものと同様の構造を有するものであり、ヒータープラグが過熱中なのか、あるいは着火可能な状態なのか外部からは容易に判断できず、点火を待つ者にとって使い勝手の良いものではない。
【０００７】
また、文献２記載のライターは、着火表示ランプ及びセラミックヒーターが配線されたタイマー回路によって利用者に着火可能になったことを報知する構成となっている。ところが、ヒーターの加熱は時間によって制限されているものの、ライターそのものの使用制限はなされておらず、ライターの連続的な使用によってライターを備えた箱体内部の温度が上昇する恐れがあり、箱体内に堆積した灰などが発火し火災が発生するおそれがある。
【０００８】
ところが、実用新案登録請求の範囲には箱体内の温度上昇に対する対策は何らなされておらず、実施の形態において、「箱体２の内部で発生した熱を逃がす多数の小孔から成る放熱孔」が設けられていると記載されているにすぎず、火災予防のための万全な対策が取られているとは言い難い。
【０００９】
ところで、この種の「喫煙専用ライター」は病院や空港など火災が発生した場合に非常
に危険な状態となるところに設置することを目的としている。しかも喫煙が制限されている場合の喫煙コーナーに設置されるので、毎日、多数の喫煙者によって「喫煙専用ライター」が長時間、あるいは連続的に使用されるであろうと容易に想像できる。
【００１０】
そこで、本考案では多数の喫煙者の利用にも対応できると共に、万全の火災予防手段を付加して安全性の高い、しかも使用者にとって使い勝手の良い、ユーザーフレンドリーなシガーライターを提供することを目的とするのである。
【課題を解決するための手段】
【００１１】
上記課題を解決するために、本考案に係るシガーライターボックスでは制御装置によってヒータープラグの温度を加熱時間及び冷却時間で制御すると共に、一定温度に下がるまではライターを使用できない安全ロック機構を備えたのである。
【００１２】
また、請求項２記載のシガーライターボックスではさらなる安全性を向上させるために温度センサーを取り付け、何らかの要因によってヒータープラグやシガーライターボックスの庫内温度が一定以上になった時に冷却ファンを作動させるとともに、すべてのシガーライターの使用を禁止する制御機能を備えて、異常な加熱、あるいは想定外の原因による火災予防のための万全の対策を講じているのである。
【００１３】
また、一方で、待機中あるいは使用可能など、ライターの加熱状況をメロディ音あるいはランプ表示よって使用者に報知するとともに、直立姿勢をとる使用者の手元にライターがくるようにシガーライターボックスにパイプスタンドを取り付けて使い勝手を向上させ、また、ライターの持ち去りを防止するためにライターとボックスを鎖等の紐状体で接続したのである。
【考案の効果】
【００１４】
１．シガーライターが十分冷却するまではそのライターが使用できないロック機構を設けたため、連続的な使用によるヒータープラグの異常な加熱、ヒータープラグの著しい損傷を防いで、耐久性を向上させることができる。
【００１５】
２．ライターそのものの加熱を制御するだけでなく、シガーライターを備えたケーシング内の温度が一定以上になると温度センサーがこれを検出し、冷却ファンを作動させるため、ケーシング内に設置した配線の焼損や機器の損傷を防ぐとともに、最悪のケースである火災も未然に防止できるのである。
万全な火災予防対策が講じられているため、火災が発生すると極めて危険な場所となる空港や精神科病棟などでも安心して使用ができる。
【００１６】
３．待機中あるいは点火可能などシガーライターの加熱状況がランプの色表示、点灯状態（消灯、点滅など）あるいはメロディ音によって報知されるため、使用者はイライラせずに待機することができる。
【００１７】
４．シガーライターとボックスを強固な紐状体で接続したため、ライターの持ち去りを不可能として不適切な使用を防げることができる。
【００１８】
５．パイプスタンドを設けてシガーライターボックスを使用者の手元付近に配置したため、使い勝手が良い。また、電源コードはパイプ内を挿通させる、あるいはパイプ端部をケーシング内に配設するなどして出っ張りを可及的に少なくした。そのため、出っ張りでの怪我や邪魔なコードによる転倒などを未然に防止できる。
【図面の簡単な説明】
【００１９】
【図１】請求項１記載のシガーライターボックスの正面図。
【図２】同、背面図。
【図３】同、平面図。
【図４】請求項３記載のパイプスタンド付きシガーライターボックスの灰皿を引き出した状態を示す説明図。
【図５】シガーライターボックスの内部名称説明図。
【図６】同、シガーライター装置の拡大説明図。
【図７】シガーライターの動作フロー図。
【図８】冷却ファン作動フロー図。
【考案を実施するための形態】
【００２０】
次に本考案を具体化した最適な実施形態について図面１から図面５を参照しながら説明する。
【００２１】
図１が請求項１記載のシガーライターボックス１の正面図、図２が同、背面図、図３が平面図である。そして図４がシガーライターボックス４３にパイプスタンド４４を取り付けた請求項３記載のパイプスタンド付きシガーライターボックスの斜視図、図５がシガーライターボックス内部の配線を省略した、各部名称を示す説明図である。
【００２２】
シガーライターボックス１は底面に灰皿２を備え付けた箱体４であって、四本の脚３によって支持されている。箱体４の中には電源基板５、リレー６、リレー基板、プログラマブルコントローラ８（以下、ＰＬＣと略す）、抵抗９及び二基のシガーライター装置１０、１１等が設置されている。
【００２３】
箱体４の正面には電源表示ランプ１２及び押しボタン式の操作ボタン１３、１４及びシガーライターを挿脱する孔１５、１６が穿設されている。箱体４の背面側にはヒューズボックス１７、電源スイッチ１８及びＡＣレセクタプル１９等が設けられている。
【００２４】
図６がシガーライター装置の拡大説明図である。シガーライター装置はシガーノブ２１ａを有するライター本体２１とライター本体２１を挿脱する、ソケットボディ２２をコ字型金具２８内に配置してなる。
【００２５】
鍔部２１ｂを有する円筒形のライター本体２１は他端を先端に向けて拡大する、テーパー状に形成して点火時に把持するシガーノブ２１ａとし、他端部にはヒーター２９を備えている。上記鍔部２１ｂは後述するロック機構におけるロック棒を係止する係止段部となる。
【００２６】
操作ボタンを押すと通電が開始し、セラミック受け台３０とコ字型金具２８に取り付けねじ３２で接続した、コ字型結合プラス端子３１の接触により上記ヒーター２９が加熱される。
【００２７】
車両用など通常のシガーライターの加熱手段には鉄製のコ字型端子が使用されているが、この実施例では消耗の激しいコ字型端子をステンレス素材とすると共に、幅や厚みを大きくして耐久性を向上させている。
【００２８】
ところで、本願のシガーライター装置には、ライター本体の抜き取りを制御するロック装置２３が備えられている。ロック動作は先端にロック棒２４を有し、スプリング２５を巻装したソレノイドシャフト２６によって行われる。ＰＬＣ８から信号が出ていない、いわゆる待機状態のときは、スプリング２５により付勢されたソレノイドシャフト２６の先端に位置するロック棒の弾接によってライター本体の鍔部２１ｂは抑えつけられてロック
がかかった状態となっており、使用者はライター本体を取り出すことができない。
【００２９】
一方、ライター本体２１がソケットボディ２２に確実に差し込まれている状態であって（マイクロスイッチ２７がＯＮのとき）ヒーター２９の加熱終了などの一定の条件がそろうと、ＰＬＣ８から信号が出されてソレノイド３３がＯＮとなりソレノイドシャフト２６がソレノイド側に引かれる。するとロック棒２４の先端で押圧されていたライター本体の鍔部２１ｂが解放され、使用者はライター本体２１を抜き取りタバコに点火することができるのである。
【００３０】
本考案のライターのロック装置にはソレノイドを使用しているが、ロック手段はこれに限定されるものではなく、複数のシガーライターユニットの同時使用、同じライターの連続使用によって生じる危険な状態を発生させないこと等を目的としてライター本体の抜き取りを規制するものであれば他の手段や規制方法を採用することも可能である。
【００３１】
たとえば、一のライターを加熱中は他のすべてのライターの使用を禁止する方法のほか、ライターやシガーライターボックス庫内を所定の安全温度に保つ範囲内で、複数のライターの加熱を許容する規制方法が考えられる。
【００３２】
本考案におけるシガーライターの加熱、冷却、シガーライターのロック機構及びランプ点灯やメロディによる使用者へのシガーライターの状況報知などはすべて箱体４内部に収容したＰＬＣ８によって制御されている。
【００３３】
したがって、シガーライターボックス内に設置されたシガーライターユニットの数やボックスの大きさなどによってライターの加熱時間や使用禁止時間など適宜ＰＬＣへの設定変更を行うことで対応可能となるのである。
【００３４】
次にシガーライター装置の加熱、冷却作業の手順について図７の動作フロー図を参照しながら説明する。
【００３５】
この実施形態においては二基のシガーライターユニットを有するシガーライターボックスを例にあげて説明しているが、シガーライターユニットの数が増えても、また一基しかシガーライターユニットを備えない、パーソナルユース形態のシガーライターボックスであっても基本的な動作手順は同じである。
精神科病棟の喫煙コーナーに設置して、多数の喫煙者の利用に供しても、また、個室におけるパーソナルユースにおいてもライターの加熱温度等を制御することで安全かつ使用者にとって使い勝手の良いシガーライターを提供することができるのである。
【００３６】
シガーライターの操作ボタンの中にはＬＥＤが収納されており、操作ボタン１が押下されていない、いわゆる待機状態ではＬＥＤは消灯している（３４）。
【００３７】
使用者が操作ボタン１を押下すると、操作ボタン１は緑に点灯し、シガーライター１の加熱が開始する。それと同時に他のシガーライターの操作ボタンは赤が点灯し、現在使用できない状態であることを他の使用者に明示する（３５）。
【００３８】
複数のシガーライターを有する場合に多数の使用者が同時にライターを加熱させるとボックス内の温度が異常加熱する場合があるため、他のライターの加熱を規制して順次の使用を促し火災を未然に防止しているのである。
【００３９】
シガーライターの加熱時間はコントローラにあらかじめ設定されており、所定時間加熱されるとライターのヒーター部分がタバコの点火に可能な温度（約８００〜９００度）に
まで上昇する。シガーライター１の加熱が終了すると操作ボタン１の赤色が点滅を開始し、同時にメロディが流れて使用者の注意を促す。操作ボタンの色表示の変化だけではなく音によっても使用者にライター１が使用できる状態になったことを知らせるのである。また、ライター１の加熱終了と同時にライター１のロック装置は解除され、使用者はライター１を抜き取ることができるようになる（３６）。
【００４０】
ロック装置の作動は前述のとおりＰＬＣからの信号受信により制御されている。また、メロディ装置はリレー基板７の内部に装着されており、同様、ＰＬＣによって制御されている。スピーカ３８がシガーライターボックスの箱体４の正面右側、内側面に取り付けられており（図５）、箱体側面にはスピーカ穴３９が穿設されている（図４）。
【００４１】
一方、ライター１の加熱が終了すると同時にシガーライター２の操作ボタン２の赤ＬＥＤが消灯してライターが２使用可能な状態となり、つぎの使用者は操作ボタン２を押し下げて自分の煙草への点火準備を始めることができるのである。
【００４２】
ライター１の使用者が、ライター１でタバコに点火したのちソケットボディに再び嵌合する、あるいはライターを抜きとらずにそのまま１０秒間放置すると、再びロック装置が作動してライター１は抜き取り不可能となり、操作ボタン１は赤が点灯して使用ができない状態となる（３７）。
【００４３】
この使用不可能な状態は約２分継続する。この間にライター１は所定の温度まで冷却され、操作ボタン１のＬＥＤの赤ランプが消えて再び待機中となるのである。
【００４４】
ところで、ライターがソケットボディに正しく装着されていないときは２分経過してもこの赤ランプが消えない。この場合は使用者あるいはシガーライターの設置管理者がライターを抜き取って正しく装着しなおす必要がある。管理者が離れた所にいる場合などは警告ブザーなどを鳴らして知らせても良い。
【００４５】
使用者が操作しやすいように、シガーライター装置の操作方法を手順を追ってシガーライター本体正面部分に記載しても良い。
【００４６】
すなわち、ランプの色の意味するところや、前述の、いつまでも赤ランプが点灯して使用できない状態が続くときの対処方法などを文章で明示するのである。
【００４７】
本願のシガーライター装置は、一のライターが加熱終了すると次のライターの加熱を開始することができ、順次加熱と冷却を繰り返しながら、冷却中のライターの使用を禁止することで、安全かつ連続的なシガーライターの使用を可能とするのである。
【００４８】
ライターの加熱時間及び冷却時間はＰＬＣで自由に設定ができ、シガーライターユニットの数やライターボックスの大きさなどによって適宜変更可能である。
【００４９】
一方、ライター本体のヒーター部に付着した灰等は灰皿２へと集積する。ソケットボディ２２の下部に形成した切り込み（図示せず）からソケットボディ内に落ちた灰が灰皿２へと落ちるのである。シガーライターボックスの設置者あるいは管理者は、適宜灰皿２を抜き取りたまった灰を容易に処分できるのである。
【００５０】
本考案におけるシガーライターはライターが十分冷却するまで、使用者の連続的な使用に制限を加えてライターの異常加熱を防止しているが、請求項２記載の考案では、これに加えて、シガーライターボックス庫内の温度のコントロールも行っている。
【００５１】
温度センサー４０はシガーライター装置におけるコ字型金具３１に取り付けられている。ソケットボディ２２からコ字型金具３１に熱が伝わって温度センサー４０があらかじめ設定された温度を検知すると冷却ファン４１が作動するのである。
冷却ファン４１が作動している間はシガーライター１、シガーライター２はともに操作スイッチが赤色に点灯しており、両方とも使用できない状態となっている。
【００５２】
この冷却ファンの作動手順を示すフロー図が図８である。シガーライターの冷却時間の経過後であって、しかも温度センサーがＯＦＦの状態であればそのままシガーライターは加熱可能な待機中の状態となる。ところが、シガーライターの冷却期間が経過しても温度センサーが所定の温度より上を感知すると、冷却ファンを作動させてシガーライター装置及びシガーライターボックス庫内の温度を所定の温度まで下げるのである。庫内の温度が安全なレベルまで下がったことを確認すると、ライターの使用が許可されるのである。温度センサー及び冷却ファンの作動などはすべてＰＬＣによってコントロールされており、センサーに感知させる設定温度もシガーライターユニットの数やシガーライターボックスの大きさ、規制方法などによって適宜設定可能である。
【００５３】
一方、シガーライターの持ち去り防止のためにライター本体のノブ部分に取り付けた鎖２０の端部を箱体４の底面に接続する。鎖２０の長さは、ライターを引き出し、口にくわえた煙草まで十分届く長さ（約３０ｃｍ）とする。この実施例では鎖を使用しているが、容易に切り離しできないような素材から成る紐状の接続部材であれば素材はどんなものでも構わない。
【００５４】
請求項１記載のシガーライターボックスは喫煙コーナーのテーブルの上に設置したり、あるいは柱や壁面に取り付けて使用する。ボックスそのものの持ち去りを防止するためにはボックス支持脚を載置テーブルに螺着するなどして対応可能である。
【００５５】
請求項３記載のパイプスタンド付きシガーライターボックス４２の斜視図が図４である。シガーライターボックス４３は側面視における略Ｚ字型に折曲されたパイプ４４によって支持されている。パイプ４４の上端４４ａ−４４ａは斜め上方に延出しており、シガーライターボックス４３内部に取り付けた一対のパイプ支持管４５−４５（図５）にそれぞれ挿通後、螺着されている。
【００５６】
シガーライターボックス４３を直接パイプスタンドに取り付けるのではなく、箱体内に取り付けたパイプ支持管４５にパイプ上端部４４を接続することで、シガーライターボックスをより強固に安定させることができる上にパイプ端部の出っ張りをなくしている。これにより、持ち運びの際にシガーライターボックスを把持しても引っかかりがなく使い勝手がよく、万が一の怪我も防止できさらに、デザイン的にもすっきりした製品に仕上がっているのである。
【００５７】
このように、シガーライターボックスにパイプスタンドを取り付けてシガーライターボックスを使用者の手元まで引き上げると共に、パイプ４４の上端４４ａが斜め上方に傾斜しているため、シガーライターボックス４３全体が斜め上方に傾斜してシガーライターが抜き取りやすく、また、操作ボタンの押下や灰皿４６の着脱がさらに容易となるのである。
【００５８】
また、シガーライターボックス４３の背面のＡＣレセクタプルに接続した電源プラグのコード（図示せず）はパイプスタンド内を挿通させてパイプスタンド下部より導きだしてプラグ４７をコンセントに接続するのである。電源コードをボックスから長々と垂らすと躓きなどの原因となる恐れがあるためである。
【００５９】
図４では設置型のパイプスタンド付きシガーライターボックスとしているが、スタンド形状はこれに限定されるものではなくパイプスタンドの素材も特定されない。
【００６０】
また、脚下部にキャスターを取り付けて移動可能なシガーライターボックスとすることもできるのである。
【産業上の利用可能性】
【００６１】
本考案は喫煙が制限されている場所、空港や精神科病棟などにおける使用に適しているが、火災予防のための様々な工夫がなされているため上記の場所に限定されず、火災が生じると極めて危険な場所でも十分利用可能であると考えられる。
【符号の説明】
【００６２】
１、４３、シガーライターボックス  ２、４６、灰皿  
４、箱体      ５、電源基板    ６、リレー
７、リレー基板      ８、ＰＬＣ    ９、抵抗
１０、１１、シガーライター装置  
１２、電源表示ランプ    １３、１４、操作ボタン
２０、鎖      ２１、ライター本体
２２、ソケットボディ    ２３、ロック機構
２４、ロック棒      ２６、ソレノイドシャフト
２７、マイクロスィッチ    ２８、コ字型金具
２９、ヒーター      ３１、コ字型結合プラス端子
３３、ソレノイド    ４４、パイプスタンド
４５、パイプ支持管    ４７、電源プラグ
【図１】
0003153212.tif 000003
【図２】
0003153212.tif 000004
【図３】
0003153212.tif 000005
【図４】
0003153212.tif 000006
【図５】
0003153212.tif 000007
【図６】
0003153212.tif 000008
【図７】
0003153212.tif 000009
【図８】
0003153212.tif 000010